(57)【要約】【課題】電撃された昆虫の数を示すことができる電撃殺虫器を提供する。【解決手段】電撃殺虫器は、ベースと、前記ベース上に取付けられ、昆虫をおびき寄せるための誘引装置と、前記ベース上に前記誘引装置を囲むように設けられ、誘き寄せた昆虫を感電させるための格子状高圧印加装置と、前記高圧印加装置に電気的に接続され、前記高圧印加装置による昆虫電撃状態に応して感知信号を生成する感知装置と、前記感知装置に電気的に接続され、前記感知装置から送られた信号に基づいて前記高圧印加装置による電撃回数を示す指示装置と、をそなえている。【選択図】図１ 
0003117670.tif 000002
【実用新案登録請求の範囲】
【請求項１】
ベースと、
前記ベース上に取付けられ、昆虫をおびき寄せるための誘引装置と、
前記ベース上に前記誘引装置を囲むように設けられ、誘き寄せた昆虫を感電させるための格子状高圧印加装置と、
前記高圧印加装置に電気的に接続され、前記高圧印加装置による昆虫電撃状態に応して感知信号を生成する感知装置と、
前記感知装置に電気的に接続され、前記感知装置から送られた信号に基づいて前記高圧印加装置による電撃回数を示す指示装置と、
をそなえたことを特徴とする電撃殺虫器。
【請求項２】
前記感知装置は、前記高圧印加装置による昆虫電撃状態を検出して、前記高圧印加装置への電力供給を所定時間をおいて停止させるようにすることを特徴とする請求項１に記載の電撃殺虫器。
【請求項３】
前記指示装置は、前記ベースに取付けられる表示部と、前記感知装置及び前記表示部に電気的に接続される制御部をそなえていることを特徴とする請求項１に記載の電撃殺虫器。
【請求項４】
前記誘引装置には、光源が設けられていることを特徴とする請求項１に記載の電撃殺虫器。
【請求項５】
前記光源としては、３５５〜３６５ｎｍの波長を有する光を放射する紫外線ランプであることを特徴とする請求項４に記載の電撃殺虫器。
【請求項６】
前記高圧印加装置は、２の出力端子を有する加圧部と、それぞれが前記２の出力端子に接続される複数の導体を輪にして上下に並べた格子エレメントとをそなえていることを特徴とする請求項４に記載の電撃殺虫器。
【請求項７】
さらに、前記ベース上に前記高圧印加装置を囲んで保護部材が取付けられていることを特徴とする請求項１に記載の電撃殺虫器。
【考案の詳細な説明】
【技術分野】
【０００１】
本考案は、電撃殺虫器に関し、特に電撃された数を計数して表示することができる電撃殺虫器に関する。
【背景技術】
【０００２】
従来、蛾や蚊などの虫を光でおびき寄せて電撃でショック死させる電撃殺虫器が知られている。
【考案の開示】
【考案が解決しようとする課題】
【０００３】
従来の電撃殺虫器によれば、虫をおびき寄せて電撃することができるが、感電死した昆虫の死骸が焼失または飛散してしまい、電撃殺虫の効果が分からない。
【０００４】
本考案は、電撃された昆虫の数を示すことができる電撃殺虫器を提供することを目的とする。
【課題を解決するための手段】
【０００５】
上記目的を達成すべく、本考案の電撃殺虫器は、ベースと、前記ベース上に取付けられ、昆虫をおびき寄せるための誘引装置と、前記ベース上に前記誘引装置を囲むように設けられ、誘き寄せた昆虫を感電させるための格子状高圧印加装置と、前記高圧印加装置に電気的に接続され、前記高圧印加装置による昆虫電撃状態に応して感知信号を生成する感知装置と、前記感知装置に電気的に接続され、前記感知装置から送られた信号に基づいて前記高圧印加装置による電撃回数を示す指示装置と、をそなえたことを特徴とする構成をとる。
【０００６】
また、前記感知装置は、前記高圧印加装置による昆虫電撃状態を検出して、前記高圧印加装置への電力供給を所定時間をおいて停止させるようにすることが好ましい。
【０００７】
また、前記指示装置は、前記ベースに取付けられる表示部と、前記感知装置及び前記表示部に電気的に接続される制御部をそなえることが好ましい。
【０００８】
また、前記誘引装置には、光源が設けられ、当該光源としては、３５５〜３６５ｎｍの波長を有する光を放射する紫外線ランプであることが好ましい。
【０００９】
前記高圧印加装置はまた、２の出力端子を有する加圧部と、それぞれが前記２の出力端子に接続される複数の導体を輪にして上下に並べた格子エレメントとをそなえる構成が好ましい。
【００１０】
前記電撃殺虫器はさらに、前記ベース上に前記高圧印加装置を囲んで保護部材が取付けられることが好ましい。
【考案の効果】
【００１１】
以上の構成により、昆虫をおびき寄せて感電死させ、そして感電死した昆虫を計数することができ、殺虫効果を知ることができる。
【考案を実施するための最良の形態】
【００１２】
以下、本考案の好ましい実施の形態を図面を参照して説明する。図１は、本考案の好ましい実施の形態の電撃殺虫器の構成を示す斜視図、図２は、同構成の電撃系統の概略ブロック図、図３は、同電撃系統の概略回路図である。
【００１３】
図示の如く、電撃殺虫器１は、ベース２、電源装置３、誘引装置４、高圧印加装置５、感知装置６、保護部材７及び指示装置８をそなえる。
【００１４】
電源装置３は、ベース２に設けられたスイッチ３１と、ベース２から延伸して外部電源とつなぐプラグ３２が設けられ、外部の商用ＡＣ電源をＤＣ電圧例えば６ＶＤＣに変換し、電撃殺虫器１の他の電気構成素子に供給する。
【００１５】
誘引装置４は、ベース２上に光源４１が直立して取付けられ、とりわけ飛翔性昆虫をおびき寄せる光を発する。また、駆動回路系４２が光源４１及び電源装置３に電気的に接続される。この例においては、前記光源４１としては、３５５〜３６５ｎｍの波長を有する紫外線を放射する逆Ｕ字形をしたライトを用いる。
【００１６】
高圧印加装置５は、誘引装置４によっておびき寄せられた昆虫に電撃を与えるものであって、図１に示されているように、誘引装置４を囲んでベース２上に複数の導体を輪にして上下に並べた格子エレメント５１、５１、・・・と、格子エレメント５１に電気的に接続され、２の出力端子５２１、５２２を有する加圧部５２とをそなえる。加圧部５２はさらに感知装置６を介して電源装置３に電気的に接続される。複数の格子エレメント５１、５１、・・・は、昆虫をおびき寄せて触れるとすぐに感電死させるよう昆虫の大きさに応じて所定の間隔をおいて上下に並列してなる。加圧部５２は、感知装置６を通じて電源装置３によって生成されたＤＣ電圧を、出力端子５２１、５２２の間に十分な高圧例えば２０００ＶＤＣ程度に増幅させる。なお、エレメント５１としては、複数の豎方向に細長い電線が光源４１の回りに相互に所定の間隔をおいて円筒形配列をしてもよい。
【００１７】
感知装置６は、ベース２上に設けられ、電源装置３と高圧印加装置５の間に電気的に接続され、周知の方式で高圧印加装置５による昆虫電撃状態を感知するようにする。
【００１８】
保護部材７は、人の手などが直接高圧印加装置５に触れて感電しないように高圧印加装置５を囲むように設けられる。この例においては、電気絶縁性の複数の円板７２、７２によってベース２上に上下方向に並べられている。各円板７２の周縁に切欠きが凹設され、中央に光源４１が貫設される通し穴が設けられている。複数の例えば４本のポスト７１、７１、・・・（図１では２本のみ）が並列エレメント５１、５１、・・・の周りに円板７２、７２、・・・を貫通してベース２上に周設されている。なお、円板７２は透明であり、光源４１の放射した光を透過させ昆虫をおびき寄せる効果を向上させる。
【００１９】
指示装置８は、この例においては、ベース２に電源装置３と感知装置６に電気的に接続されて、例えば液晶表示素子を用いる表示部８１と、該表示部８１に連結されている制御部８２をそなえている。制御部８２は感知装置６から検出信号を受取り、表示部８１に高圧印加装置５によって感電した昆虫の累積数を示すように作動される。
【００２０】
上記構成においては、図１に示すスイッチ３１がオンにされると、誘引装置４の光源４１が点灯される。これにより光源４１からは紫外線が放射され、直接又は間接的に透明円板７２を透過して四方に放射される。電撃殺虫器１の周囲に飛んでいる昆虫は、上記紫外線におびき寄せられ、円板７２の切欠きからまたは円板７２、７２の間から入り込んでエレメント５１、５１、・・・に接近または触れると、アークがとんだり加圧部５２の出力端子５２１、５２２が短絡されたり、昆虫が直ちに着火或いは感電死する。電撃された昆虫が分散又はエレメント５１から落下すると、出力端子５２１、５２２の間は再び開回路に復する。また、加圧部５２の出力端子５２１、５２２が短絡され昆虫が感電するとき、加圧部５２ののトランス（Ｔ１）が飽和状態に切替えられ、電池装置６のトランジスタ（Ｑ１）に高い負荷を生成させる。その結果、感知装置６の抵抗器（Ｒ１）とキャッパシタ（Ｃ１）との接続点における電圧が下がり、加圧部５２への給電が一時例えば０．５秒間中断され、感知装置６のトランジスタ（Ｑ２，Ｑ３）を介して検出信号が表示装置８の制御部８２に送信される。制御部８２は、検出信号に応答して昆虫の電撃数を更新累計し、表示部８１に更新した累計数を表示する。
【００２１】
なお、電撃された昆虫がエレメント５１から落下し又は分散したとき加圧部５２の出力端子５２１、５２２の間は開回路に戻るので、感知装置６のキャパシタ（Ｃ１）と抵抗器（Ｒ１）との接続点における電圧が通常作動電圧に戻され、再び加圧部５２に電圧が印加され高圧印加装置５を待機状態にし、いつでも作動できるようにさせる。
【００２２】
なお、表示部８１における表示は、必要に応じて累計数だけでなく設置時間などの情報も表示することができる。また、制御部８２により表示部８１の他の表示をするための他のスイッチボタンがベース２に設けられてもよい。即ち、当該スイッチボタンを押すと、制御部８２により表示部８１に計数の更新、時間設定或いは表示変更などを示すように構成されてもよい。
【産業上の利用可能性】
【００２３】
本考案の電撃殺虫器によれば、電撃昆虫の数がいつでも表示され殺虫効果が分かる。
【図面の簡単な説明】
【００２４】
【図１】本考案による実施の形態の電撃殺虫器を示す斜視図である。
【図２】同電撃系統の概略ブロック図である。
【図３】同電撃系統の概略回路図である。
【符号の説明】
【００２５】
１      電撃殺虫器
２      ベース
３      電源装置
３１    スイッチ
３２    プラグ
４      誘引装置
４１    光源
４２    駆動回路系
５      高圧印加装置
５１    エレメント
５２    加圧部
５２１、５２２    出力端子
６      感知装置
７      保護部材
７１    ポスト
７２    円板
８      指示装置
８１    表示部
８２    制御部
【図１】
0003117670.tif 000003
【図２】
0003117670.tif 000004
【図３】
0003117670.tif 000005